(57)【要約】  【課題】  長尺野菜を立てて収納できるよう縦長にした野菜室を有する冷蔵庫において、野菜室の扉を開けやすくし、また美観にも優れたものとする。  【解決手段】  冷蔵庫１の筐体１０を上下に区分し、上方の区分を第１区分１１とする。下方の区分はさらにこれを左右に区分し、この左右区分の一方をさらに上下に区分して第２区分１２及び第３区分１３とする。前記左右区分の残りの一方は第４区分１４とする。第１〜第４の各区分にそれぞれに扉を設けるとともに、野菜室６０となる第４区分１４の扉２４には、第２区分１２と第３区分１３の境界と横並びの位置にハンドル部６３を設けた。ハンドル部６３は扉２４の厚み方向に窪ませた水平な溝６４により構成され、溝６４の上部内面及び／又は下部内面に窪み状の手掛け部６５、６６が形成されている。【選択図】      図１
2005069533.tif 000002
【特許請求の範囲】
【請求項１】
冷蔵庫筐体を上下に区分し、下方の区分はさらにこれを左右に区分し、この左右区分の一方をさらに上下に区分するとともに、上方の第１区分、下方２区分のうち上下に区分された第２区分と第３区分、及び下方２区分の残りの一方である第４区分のそれぞれに扉を設けるとともに、前記第４区分の扉には、前記第２区分と第３区分の境界と横並びの位置にハンドル部を設けたことを特徴とする冷蔵庫。
【請求項２】
前記第４区分の扉に設けたハンドル部が、扉の厚み方向に窪ませた水平な溝により構成されていることを特徴とする請求項１に記載の冷蔵庫。
【請求項３】
前記溝の上部内面及び／又は下部内面に窪み状の手掛け部を形成したことを特徴とする請求項２に記載の冷蔵庫。
【請求項４】
前記第２区分の扉の下面及び前記第３区分の扉の上面に窪み状の手掛け部を形成したことを特徴とする請求項１〜３のいずれか１項に記載の冷蔵庫。
【請求項５】
前記第２区分の扉及び第４区分の扉のそれぞれ上面に窪み状の手掛け部を形成したことを特徴とする請求項１〜４のいずれか１項に記載の冷蔵庫。
【請求項６】
前記第１区分を冷蔵室、第２区分及び第３区分を冷凍室、第４区分を野菜室としたことを特徴とする請求項１〜５のいずれか１項に記載の冷蔵庫。
【発明の詳細な説明】
【技術分野】
【０００１】
本発明は家庭用又は業務用の冷蔵庫に関する。
【背景技術】
【０００２】
最近の冷蔵庫では、筐体の内部を上下に区分し、上方の区分に冷蔵室を割り当てるとともに、下方の区分に冷凍室や野菜室を割り当てる構成のものが多くなっている。このような冷蔵庫の例を特許文献１、２に見ることができる。
【特許文献１】特開２００１−２６３９１３号公報（第２頁、図１）
【特許文献２】特開２００３−５６９７７号公報（第２−３頁、図４）
【発明の開示】
【発明が解決しようとする課題】
【０００３】
野菜や果物を貯蔵する場合、生えていた、あるいは実っていたときと同じ姿勢で保管するのが望ましい。それ以外の姿勢で置いておくと、野菜や果物に含まれるアミノ酸や糖分が早期に分解されたり消費されたりし、味や鮮度が早く劣化する。ねぎやセロリのような長尺野菜も立てておくのが望ましいが、通常の引き出しタイプの野菜容器ではそれは無理である。そこで特許文献２に記載された冷蔵庫では、野菜室の扉の内面に長尺野菜を立てて収納する容器を設けてこの問題に対処している。
【０００４】
特許文献２記載の構成を採用すると、野菜室の扉が縦に細長くなる。本発明は、このような構成の冷蔵庫にあって、野菜室の扉を開けやすくし、また美観にも優れたものとすることを目的とする。
【課題を解決するための手段】
【０００５】
上記課題を解決するため、本発明では冷蔵庫を次のように構成した。
【０００６】
（１）冷蔵庫筐体を上下に区分し、下方の区分はさらにこれを左右に区分し、この左右区分の一方をさらに上下に区分するとともに、上方の第１区分、下方２区分のうち上下に区分された第２区分と第３区分、及び下方２区分の残りの一方である第４区分のそれぞれに扉を設けるとともに、前記第４区分の扉には、前記第２区分と第３区分の境界と横並びの位置にハンドル部を設けた。
【０００７】
（２）上記構成の冷蔵庫において、前記第４区分の扉に設けたハンドル部が、扉の厚み方向に窪ませた水平な溝により構成されているものとした。
【０００８】
（３）上記構成の冷蔵庫において、前記溝の上部内面及び／又は下部内面に窪み状の手掛け部を形成した。
【０００９】
（４）上記構成の冷蔵庫において、前記第２区分の扉の下面及び前記第３区分の扉の上面に窪み状の手掛け部を形成した。
【００１０】
（５）上記構成の冷蔵庫において、前記第２区分の扉及び第４区分の扉のそれぞれ上面に窪み状の手掛け部を形成した。
【００１１】
（６）上記構成の冷蔵庫において、前記第１区分を冷蔵室、第２区分及び第３区分を冷凍室、第４区分を野菜室とした。
【発明の効果】
【００１２】
（１）冷蔵庫筐体の上方区分を第１区分とし、下方区分はこれを左右に区分するとともに、この左右区分は、一方を上下に区分して第２区分と第３区分とし、残る一方は上下に区分することなく第４区分としたものであるから、第４区分が上下に長いという特質を生かして、ここに長尺野菜を立てて入れるようにすることができる。この第４区分の扉には第２区分及び第３区分の境界と横並びの位置にハンドル部を設けたから、第２区分及び第３区分の境界と第４区分のハンドル部とが横一線のラインを形成し、デザイン的に整った外観となる。
【００１３】
（２）第４区分の扉に設けたハンドル部は、扉の厚み方向に窪ませた水平な溝により構成されているから、出っ張りのないフラットな扉表面となり、突き出した部分にぶつかって負傷するといった事態を回避できる。
【００１４】
（３）第４区分の扉のハンドル部を構成する溝には、上部内面及び／又は下部内面に窪み状の手掛け部を形成したから、手を滑らせることなく扉を開けることができる。
【００１５】
（４）第２区分の扉の下面及び第３区分の扉の上面に窪み状の手掛け部を形成したから、第４区分の扉のハンドル部と併せ、筐体下部の扉の手掛け部がほぼ同じ高さに揃う。この高さを、成人が立った状態でその手先が位置するあたりに設定しておけば、各扉の開閉を無理なく行えることになり、操作性が良い。
【００１６】
（５）加えて、第２区分の扉及び第４区分の扉のそれぞれ上面に窪み状の手掛け部を形成したから、これらの扉は２箇所に手掛け部を有することとなり、使い勝手がさらに向上する。
【００１７】
（６）第１区分を冷蔵室、第２区分及び第３区分を冷凍室、第４区分を野菜室としたから、筐体上部を使い道の広い冷蔵室とし、第２区分と第３区分を冷凍室の中でも製氷室
と通常の冷凍室とに使い分け、第４区分を長尺野菜を立てて収納することのできる野菜室として使用することができ、合理的で使い勝手のよい冷蔵庫とすることができる。
【発明を実施するための最良の形態】
【００１８】
以下、本発明の実施形態を図に基づき説明する。
【００１９】
第１実施形態を図１〜４に示す。図１は冷蔵庫の正面図、図２は全部の扉を開放した状態の冷蔵庫の正面図、図３は図１のＡ−Ａ線を断面箇所とする冷蔵庫扉の部分断面図、図４は図１のＢ−Ｂ線を断面箇所とする冷蔵庫扉の部分断面図である。
【００２０】
冷蔵庫１は、筐体１０を上下に区分し、上方の区分を第１区分１１とする（図２参照）。下方の区分はさらにこれを左右に区分し、右側の区分を上下に区分して第２区分１２及び第３区分１３とする。左側の区分は上下に区分することなく全体を第４区分１４とする。第１区分１１の下であって、第２区分１２と第４区分１４の上にあたる箇所に横長の帯状部分を残し、この部分を操作パネル部１５とする。
【００２１】
第１区分１１の正面開口部には扉２１を設け、第２区分１２の正面開口部には扉２２を設け、第３区分１３の正面開口部には扉２３を設け、第４区分１４の正面開口部には扉２４を設ける。扉２２、２３と扉２４とは観音開きをなす。すなわち扉２２、２３は向かって右側にヒンジ部を有し、扉２４は向かって左側にヒンジ部を有する。扉２１は両開きタイプであって、左右両側に配置したヒンジ部をその時々によって使い分ける。すなわち扉２１の左側の把手２５Ｌに手を掛けたときは扉２１は右側のヒンジ部を支点として開閉し、右側の把手２５Ｒに手を掛けたときは扉２１は左側のヒンジ部を支点として開閉する。
【００２２】
第１区分１１は冷蔵室３０として用いられる。冷蔵室３０は複数の棚３１により複数段に仕切られ、最下段には引き出し式の冷蔵容器３２が置かれる。扉２１の内面にはボトル類や飲料の紙パックなどを収納するラック群３３が取り付けられている。
【００２３】
第２区分１２は冷凍室４０として用いられる。冷凍室４０には製氷機４１が収納されている。
【００２４】
第３区分１３は冷凍室５０として用いられる。冷凍室５０には計３個の冷凍容器５１ａ、５１ｂ、５１ｃが上下に重なる形で収納されている。冷凍容器５１ａ、５１ｂ、５１ｃはそれぞれ両側縁部によって冷凍室５０の内面に支持されており、前方にスライドさせて引き出すことができる。
【００２５】
第４区分１４は野菜室６０として用いられる。野菜室６０には計４個の野菜容器６１ａ、６１ｂ、６１ｃ、６１ｄが上下に重なる形で収納されている。野菜容器６１ａ、６１ｂ、６１ｃ、６１ｄはそれぞれ両側縁部によって冷凍室５０の内面に支持されており、前方にスライドさせて引き出すことができる。扉２４の内面には長尺野菜を立てて収納する野菜立て６２が取り付けられている。
【００２６】
扉２４にはハンドル部６３が設けられる。ハンドル部６３は、扉２４の厚み方向に窪ませた水平な溝６４により構成され（図３参照）、第２区分１２と第３区分１３の境界と横並びの位置に配置されている。溝６４は扉２４の右端から始まり、左端の少し手前で終わる。溝６４の上部内面には窪み状の手掛け部６５が形成されている。溝６４は、所定の断面形状を備えた合成樹脂射出成形品を扉２４に設けた凹部に嵌合固定して形成される。手掛け部６５は溝６４の上部内面でなく下部内面に設けてもよい。
【００２７】
扉２２の下面には窪み状の手掛け部４２が、扉２３の上面には窪み状の手掛け部５２が、それぞれ形成される（図４参照）。手掛け部４２、５２は、所定の断面形状を備えた合成樹脂射出成形品を扉２２の下縁と扉２３の上縁に固定して形成される。
【００２８】
冷蔵庫１は上記のように構成されているので、ハンドル部６３の手掛け部６５に手を掛けて扉２４を開き、野菜を出し入れすることができる。また手掛け部４２に手を掛けて扉２２を開き、氷を取り出すことができる。さらに手掛け部５２に手を掛けて扉２３を開き、冷凍食品を出し入れすることができる。
【００２９】
扉２２、２３、２４の手掛け部４２、５２、６５はほぼ同じ高さに揃う。この高さを成人が立った状態でその手先が位置するあたり、すなわち床から６００〜８００ｍｍに設定しておけば、扉２２、２３、２４の開閉を無理なく行え、操作性が良い。また第２区分１２及び第３区分１３の境界とハンドル部６３とが横一線のラインを形成し、デザイン的に整った外観となる。
【００３０】
続いて、図５に基づき本発明の第２実施形態を説明する。図５は図３と同様の冷蔵庫扉の部分断面図である。
【００３１】
第２実施形態では、扉２４のハンドル部６３を構成する溝６４の下部内面にも窪み状の手掛け部６６が形成されている。このように上下に手掛け部６５、６６があるので、掌が上下どちらを向いていても指を掛けることができ、使い勝手が向上する。
【００３２】
次に、図６〜８に基づき本発明の第３実施形態を説明する。図６は冷蔵庫の正面図、図７は図６のＣ−Ｃ線を断面箇所とする冷蔵庫扉の部分断面図、図８は図６のＤ−Ｄ線を断面箇所とする冷蔵庫扉の部分断面図である。
【００３３】
第３実施形態では、扉２２は下面のみならず上面にも窪み状の手掛け部４３を有する（図８参照）。扉２４の上面にも窪み状の手掛け部６７が設けられている（図７参照）。これにより、扉２２、２４は２箇所に手掛け部を有することとなり、使い勝手がさらに向上する。なお、手掛け部４３、６７は、所定の断面形状を備えた合成樹脂射出成形品を扉２２の上縁と扉２４の上縁に固定して形成される。
【００３４】
以上、本発明の各実施形態につき説明したが、本発明の範囲はこれに限定されるものではなく、発明の主旨を逸脱しない範囲で種々の変更を加えて実施することができる。
【産業上の利用可能性】
【００３５】
本発明は家庭用又は業務用の冷蔵庫全般に利用可能である。
【図面の簡単な説明】
【００３６】
【図１】本発明の第１実施形態に係る冷蔵庫の正面図
【図２】全部の扉を開放した状態の冷蔵庫の正面図
【図３】図１のＡ−Ａ線を断面箇所とする冷蔵庫扉の部分断面図
【図４】図１のＢ−Ｂ線を断面箇所とする冷蔵庫扉の部分断面図
【図５】本発明の第２実施形態に係る冷蔵庫扉の部分断面図
【図６】本発明の第３実施形態に係る冷蔵庫の正面図
【図７】図６のＣ−Ｃ線を断面箇所とする冷蔵庫扉の部分断面図
【図８】図６のＤ−Ｄ線を断面箇所とする冷蔵庫扉の部分断面図
【符号の説明】
【００３７】
１    冷蔵庫
１０  筐体
１１  第１区分
１２  第２区分
１３  第３区分
１４  第４区分
２１、２２、２３、２４  扉
３０  冷蔵室
４０、５０  冷凍室
６０  野菜室
６３  ハンドル部
６４  溝
４２、４３、５２、６５、６６、６７  手掛け部
【図１】
2005069533.tif 000003
【図２】
2005069533.tif 000004
【図３】
2005069533.tif 000005
【図４】
2005069533.tif 000006
【図５】
2005069533.tif 000007
【図６】
2005069533.tif 000008
【図７】
2005069533.tif 000009
【図８】
2005069533.tif 000010